(57)【要約】【課題】一般家庭で多用されている開栓用摘みレバーの回動操作でなされる既存の水洗トイレにおいて、トイレ使用者の所望位置で開栓操作を行えるようにした遠隔装置を提供する。【解決手段】操作部１と、開栓用摘みレバーＢに装着する作動部２と、フレキシブルワイヤーからなる伝達部３で構成され、操作部が、駆動円盤１２を回動自在に設けた設置基板部１１を備え、駆動円盤に伝達部の伝達ワイヤー３２を巻装し、駆動円盤に回動摘み１３を装着して形成され、作動部が、開栓用摘みレバーＢにおける回動胴体ａから突設しているレバーｂとタンク本体Ａとの間隙に納まる高さに形成した装着基板部２１を備え、装着基板部に開栓用摘みレバーを通過可能とした開口部２１３を設け、開口部にレバーが係合する開口溝２２１を備えた作動筒部２２を回動自在に設けると共に、伝達部の伝達ワイヤーを巻装した。【選択図】図２
2020159015.tif 000002
【特許請求の範囲】
【請求項１】
所望箇所に設置する操作部と、既存トイレの開栓用摘みレバーに装着する作動部と、フレキシブルワイヤーからなる伝達部で構成され、前記操作部が、駆動円盤を回動自在に設けた設置基板部を備え、前記駆動円盤に伝達部の伝達ワイヤーを巻装し、駆動円盤に回動摘みを装着して形成され、前記作動部が、前記開栓用摘みレバーにおける回動胴体から突設しているレバーと水洗トイレのタンク本体との間隙に納まる高さに形成した装着基板部を備え、前記装着基板部に前記開栓用摘みレバーを通過可能とした開口部を設け、前記開口部にレバーが係合する開口溝を備えた作動筒部を回動自在に設けると共に、伝達部の伝達ワイヤーを巻装したことを特徴とする水洗トイレ開栓用摘みレバーの遠隔操作装置。
【請求項２】
伝達部のフレキシブルワイヤーのガイドチューブを二本束ねて形成し、伝達ワイヤーをループ状連結してなる請求項１記載の水洗トイレ開栓用摘みレバーの遠隔操作装置。
【請求項３】
操作部の回動摘みを開栓用摘みレバーと同様の形状としてなる請求項１又は２記載の水洗トイレ開栓用摘みレバーの遠隔操作装置。
【請求項４】
操作部の設置基板部を基板とカバーで構成し、駆動円盤における伝達ワイヤー巻装部分をカバー背面内に設け、回転摘みのレバーをカバー表面に配置してなる請求項３記載の水洗トイレ開栓用摘みレバーの遠隔操作装置。
【請求項５】
作動部の装着基板部を、接着背面と表面カバーを備えた偏平ボックス形状に形成し、表面カバーに開口部を設け、作動筒部を表面カバーの表裏に突出させ、表面カバーの裏面において伝達部の伝達ワイヤーを巻装してなる請求項１乃至４記載の何れかの水洗トイレ開栓用摘みレバーの遠隔操作装置。
【発明の詳細な説明】
【技術分野】
【０００１】
本発明は、既存の水洗トイレの開栓用の摘みレバーに使用する遠隔操作装置に関するものである。
【背景技術】
【０００２】
水洗トイレは周知のとおり種々の形態・構造のものが知られており、特に老人や身体不自由者等が開栓操作を容易に行えるように、所望位置に設置できる操作部と水洗タンク開栓部とをワイヤー伝達手段で連結した遠隔操作装置が種々提案されている。例えば特許文献１にはレバーの回動操作で開栓を行うトイレ装置に関するもの、特許文献２には押しボタン操作で開栓を行うトイレ装置に関するもの、特許文献３には紐の引っ張り操作で開栓を行うトイレ装置に関するものが開示されている。
【０００３】
特に本発明は、特許文献１に開示されているように、一般家庭で多用されている開栓操作がレバー回動でなされる既存トイレに使用するものである。
【０００４】
特許文献１に開示されている遠隔操作装置の具体的構造は、トイレ内の所望位置（開栓操作し易い位置）に設置される操作部と、水洗トイレのタンクに設けられている既存の開栓用摘みレバーに装着する作動部と、前記操作部と作動部とをフレキシブルワイヤー（ガイドチューブ内に駆動ワイヤーを内装した既製品）で連結して構成している。前記操作部は一端側を枢結した手元操作レバーの円弧運動を略直線運動に変換してフレキシブルワイヤーを動作させ、作動部は開栓用摘みレバーに回転板を装着し、回転板に旋回駆動ピン及び開栓用摘みレバーを動作させるレバーキックピンを設け、旋回駆動ピンとフレキシブルワイヤーを連結する旋回ブラケットと、前記旋回ブラケットのガイドシャフトと、シャフト支持金具と、旋回ブラケットを付勢する圧縮バネで構成しているものある。
【先行技術文献】
【特許文献】
【０００５】
【特許文献１】特開２００４−１５６４１２号公報
【特許文献２】特開２０１２−１０７４４２号公報。
【特許文献３】登録実用新案３１４８１７０号公報。
【発明の概要】
【発明が解決しようとする課題】
【０００６】
所望箇所に設置する操作部と開栓用摘みレバーに装着する作動部と伝達手段としてフレキシブルワイヤーを採用している特許文献１開示の遠隔操作装置は、１本のワイヤーで操作伝達する構造であるために、操作部においてレバー回転動作を直線運動に変換する機構及び作動部において直線運動を回動動作に変換する機構が必要であり、且つ復帰動作のためにバネ部材を組み込む機構としており、必ずしも簡易な構造とは言えず、また既存トイレの開栓用摘みレバーへの作動部の装着も簡易とは言えない。
【０００７】
そこで本発明は、構造が簡易で、且つ既存トイレへの装着が非常に容易に行うことができる新規な水洗トイレ開栓用摘みレバーの遠隔操作装置を提案したものである。
【課題を解決するための手段】
【０００８】
本発明の請求項１記載の水洗トイレ開栓用摘みレバーの遠隔操作装置は、所望箇所に設置する操作部と、既存トイレの開栓用摘みレバーに装着する作動部と、フレキシブルワイヤーからなる伝達部で構成され、前記操作部が、駆動円盤を回動自在に設けた設置基板部を備え、前記駆動円盤に伝達部の伝達ワイヤーを巻装し、駆動円盤に回動摘みを装着して形成され、前記作動部が、前記開栓用摘みレバーにおける回動胴体から突設しているレバーと水洗トイレのタンク本体との間隙に納まる高さに形成した装着基板部を備え、前記装着基板部に前記開栓用摘みレバーを通過可能とした開口部を設け、前記開口部にレバーが係合する開口溝を備えた作動筒部を回動自在に設けると共に、伝達部の伝達ワイヤーを巻装したことを特徴とするものである。
【０００９】
而して操作部を水洗トイレ内の所望箇所に設置し、作動部を既存水洗トイレの開栓用摘みレバーを開口部から突出させ、且つレバーが開口溝内に納まるよう水洗トイレのタンクに接着することで装置の装着がなされる。トイレ使用者は所望箇所に設置されている作動部の回動摘みを回動操作すると駆動円盤が回動し、その回動動作によって伝達ワイヤーが移動し、作動部の作動筒部が回動し、レバーが開口溝に係合している開栓用摘みレバーが回動して、トイレの水洗作動がなされる。また水洗作動が終了すると水洗タンク内の重錘による閉栓動作によって開栓用摘みレバーの復帰回動がなされ、同時に回動摘みも復帰作動をなす。
【００１０】
また本発明の請求項２記載の水洗トイレ開栓用摘みレバーの遠隔操作装置は、前記装置において、伝達部のフレキシブルワイヤーのガイドチューブを二本束ねて形成し、伝達ワイヤーをループ状連結してなるもので、回動摘みと開栓用摘みレバーの回動・復帰方向が双方向となり、水洗トイレの流量切換えにも対応できる。
【００１１】
また本発明の請求項３記載の水洗トイレ開栓用摘みレバーの遠隔操作装置は、特に操作部の回動摘みを開栓用摘みレバーと同様の形状としてなるもので、回動摘みの操作性に違和感が生じない。
【００１２】
また本発明の請求項４記載の水洗トイレ開栓用摘みレバーの遠隔操作装置は、更に操作部の設置基板部を基板とカバーで構成し、駆動円盤における伝達ワイヤー巻装部分をカバー背面内に設け、回動摘みのレバーをカバー表面に配置してなるもので、設置基板部を水洗トイレ内の所望位置（壁面）に化粧処理（見栄えを良くする処理）をすることなくそのまま設置できる。
【００１３】
また本発明の請求項５記載の水洗トイレ開栓用摘みレバーの遠隔操作装置は、特に作動部の装着基板部を、接着背面と表面カバーを備えた偏平ボックス形状に形成し、表面カバーに開口部を設け、作動筒部を表面カバーの表裏に突出させ、表面カバーの裏面において伝達部の伝達ワイヤーを巻装してなるもので、既存の水洗トイレの開栓用摘みレバーに被せるようにして背面をタンク面に接着することで簡単に設置できる。
【発明の効果】
【００１４】
本発明の構成は上記のとおりで、任意設置する操作部とトイレタンクの開栓用摘みレバーに装着する作動部の回動動作を、直接フレキシブルワイヤーで伝達する構成としたもので、構造が簡易で、且つ既存トイレへの装着が非常に容易である水洗トイレ開栓用摘みレバーの遠隔操作装置を提供できたものである。
【図面の簡単な説明】
【００１５】
【図１】本発明の実施形態の使用状態を示す説明図。
【図２】同装着説明図。
【図３】同操作部の説明図で（イ）は表面（ロ）は裏面を示す。
【図４】同作動部の説明図で（イ）は表面（ロ）は裏面を示す。
【発明を実施するための形態】
【００１６】
次に本発明の実施形態について説明する。本発明は、既存の水洗トイレにおいて、多用されている水洗トイレのタンク本体Ａの側面部分に取り付けられている開栓用摘みレバーＢを遠隔操作するための装置で、操作部１と作動部２と、伝達部３で構成されている。
【００１７】
前記伝達部はガイドチューブ３１内に伝達ワイヤー３２を通した周知のフレキシブルワイヤーを採用しているものである。
【００１８】
操作部１は、設置基板部１１と駆動円盤１２と回動摘み１３で構成され、設置基板部１１は基板１１１とカバー１１２で構成され、基板１１１に駆動円盤１２を突設状態で回動自在に組み込み、伝達部３の二本の束ねられたガイドチューブ３１の先端を固定（固定部１１３）すると共に、前記駆動円盤１２に伝達ワイヤー３２を巻装しているものである。
【００１９】
カバー１１２は、駆動円盤１２と同軸での摘み装着透孔１１４を設けて、駆動円盤１２の前記伝達ワイヤー３２巻装部分とガイドチューブ３１固定部分を被覆隠蔽するものである。また回動摘み１３は、開栓用摘みレバーＢと同様の形状で、回動胴体１３１とレバー１３２を備え、回動胴体１３１は駆動円盤１２と一体に回動するように連結し、レバー１３２はカバー１１２の表面側で動作するようにしたものである。
【００２０】
作動部２は、装着基板部２１と作動筒部２２で構成され、装着基板部２１は、開栓用摘みレバーＢにおける回動胴体ａから突設しているレバーｂと水洗トイレのタンク本体Ａの側面との間隙に納まる高さに形成した偏平ボックス形状で、接着背面２１１と表面カバー２１２を備えてなる。
【００２１】
前記の表面カバー２１２には、開栓用摘みレバーＢと対応する形状で、開栓用摘みレバーが通過する通過可能とした開口部２１３を設けてなる。
【００２２】
作動筒部２２は、前記開口部２１３における回動胴体ａと対応する円形透孔部分に回動自在に装着し、レバーｂと対応する開口溝２２１を設けたもので、表面カバー２１２から突出した開口溝２２１の部分がレバーｂと係合し、表面カバー２１２の背面において、ガイドチューブ３１の先端を固定（固定部２１４）すると共に、作動筒部２２に伝達ワイヤー３２を巻装しているものである。
【００２３】
而して上記の遠隔装置は、操作部１の設置基板部１１を水洗トイレ室内においてトイレ使用者が容易に手の届く範囲に接着剤などで基板１１１を接着固定する。既存水洗トイレの開栓用摘みレバーＢに対して作動部２を装着固定するもので、開栓用摘みレバーＢを開口部２１３に通してレバーｂを表面カバー２１２の外側に露出させて回動自在の状態で、且つレバーｂが作動筒部２２の開口溝２２１内に位置するようにして、接着背面２１１をタンク本体Ａの側面に接着剤などで接着固定する。
【００２４】
上記のとおりトイレ室内で取り付けられると、トイレ使用者が操作部１の回動摘み１３のレバー１３２を開栓用摘みレバーＢと同様に操作すると、回動摘み１３の回動がそのまま作動筒部２２の回動となり、開栓用摘みレバーＢが動作することになる。
【００２５】
勿論開栓用摘みレバーＢの回動方向によって流量の切換えがなされる水洗トイレであっても、回動摘み１３の回動方向の選択操作で対応できるものである。
【００２６】
従って、各家庭の既存の水洗トイレにおいて、本発明装置を装着することで、老人や身体不自由者でも水洗トイレの水洗操作を容易に行えるものである。
【符号の説明】
【００２７】
１      操作部
１１    設置基板部
１１１    基板
１１２    カバー
１１３    固定部
１１４    摘み装着透孔
１２    駆動円盤
１３    回動摘み
１３１    回動胴体
１３２    レバー
２      作動部
２１    装着基板部
２１１  接着背面
２１２    表面カバー
２１３    開口部
２１４    固定部
２２    作動筒部
２２１    開口溝
３      伝達部
３１    ガイドチューブ
３２    伝達ワイヤー
Ａ      水洗トイレのタンク本体
Ｂ      開栓用摘みレバー
ａ      回動胴体
ｂ      レバー
【図１】
2020159015.tif 000003
【図２】
2020159015.tif 000004
【図３】
2020159015.tif 000005
【図４】
2020159015.tif 000006